(57)【特許請求の範囲】
【請求項１】
所定期間の番組リストから数種類のカテゴリに分類され、サーバのホームページにより提供される番組リストの編集と、ビデオデッキへの番組録画予約と、を行う番組リスト制御装置において、
前記サーバから送られた前記番組リストを蓄積部にダウンロードするダウンロード手段と、
前記蓄積部から前記番組リストを取り出して編集し、編集番組リストを生成する編集手段と、
ユーザからの検索キー入力に応じて、前記編集番組リストの中からユーザが指示した前記番組リストを検索する検索手段と、
ユーザにより指示された前記編集番組リストをプリンタに印刷するための印刷制御を行う印刷制御手段と、
前記編集番組リストに基づき、ユーザが指示した番組について前記ビデオデッキへ番組録画予約を行う録画予約制御手段と、
を有することを特徴とする番組リスト制御装置。
【請求項２】
前記編集手段は、前記編集番組リストをライブラリファイルとして蓄積することを特徴とする請求項１記載の番組リスト制御装置。
【請求項３】
前記印刷制御手段は、前記編集番組リストからインデックスシールを作成するための印刷制御を行うことを特徴とする請求項１記載の番組リスト制御装置。
【請求項４】
当該番組リスト制御装置において用いられる通信ソフトウェアは、所定のブラウザ、あるいは、所定のブラウザのヘルパー・アプリケーション、またはプラグインであることを特徴とする請求項１記載の番組リスト制御装置。
【請求項５】
前記録画予約制御手段は、前記ビデオデッキ内にビデオテープが入っている場合は、前記ビデオテープの残量情報を前記ユーザに通知する残量情報通知手段を含むことを特徴とする請求項１記載の番組リスト制御装置。
【請求項６】
前記録画予約制御手段は、予約番組がビデオテープの残りに録画されないと判断した場合は、前記ユーザに警告通知を行う警告通知手段を含むことを特徴とする請求項１記載の番組リスト制御装置。
【発明の詳細な説明】
【０００１】
【発明の属する技術分野】
本発明は番組リスト制御装置に関し、特に番組リストの編集と、ビデオデッキへの番組録画予約と、を行う番組リスト制御装置に関する。
【０００２】
【従来の技術】
近年、テレビジョン映像のディジタル伝送も含めたディジタル伝送路の複合利用としてＩＳＤＢ（Integrated Service Digital Broadcasting)が検討されている。ＩＳＤＢではすべての情報をディジタル信号として扱うため、番組編成の柔軟性や新サービスの拡張性に優れている。
【０００３】
ＩＳＤＢの伝送路としては衛星放送波や地上放送波、同軸ケーブルや光ファイバなどを使ったケーブルテレビ網などが検討されている。このような多様な伝送路を用いて、ディジタル多チャンネル・テレビ放送や音声・映像・データを組み合わせたマルチメディア放送などの新しいサービスが考えられている。
【０００４】
【発明が解決しようとする課題】
しかし、上記のように１つの伝送帯域の中で様々な放送サービスが提供されると、見たい番組を番組表から捜すのに手間がかかるといった問題があった。
【０００５】
本発明はこのような点に鑑みてなされたものであり、ユーザが見たい番組を即時に検索する番組リスト制御装置を提供することを目的とする。
また、本発明の他の目的は、簡単な操作でビデオデッキに録画予約を行う番組リスト制御装置を提供することである。
【０００６】
【課題を解決するための手段】
本発明では上記課題を解決するために、所定期間の番組リストから数種類のカテゴリに分類され、サーバのホームページにより提供される番組リストの編集と、ビデオデッキへの番組録画予約と、を行う番組リスト制御装置において、前記サーバから送られた前記番組リストを蓄積部にダウンロードするダウンロード手段と、前記蓄積部から前記番組リストを取り出して編集し、編集番組リストを生成する編集手段と、ユーザからの検索キー入力に応じて、前記編集番組リストの中からユーザが指示した前記番組リストを検索する検索手段と、ユーザにより指示された前記編集番組リストをプリンタに印刷するための印刷制御を行う印刷制御手段と、前記編集番組リストに基づき、ユーザが指示した番組について前記ビデオデッキへ番組録画予約を行う録画予約制御手段と、を有することを特徴とする番組リスト制御装置が提供される。
【０００７】
ここで、ダウンロード手段はサーバから送られた番組リストを蓄積部にダウンロードする。編集手段は蓄積部から番組リストを取り出して編集し、編集番組リストを生成する。検索手段は編集番組リストの中からユーザが指示した番組リストを検索する。印刷制御手段は、編集番組リストを印刷するための印刷制御を行う。録画予約制御手段は、編集番組リストにもとづいてビデオデッキへ番組録画予約を行う。
【０００８】
【発明の実施の形態】
以下、本発明の実施の形態を図面を参照して説明する。図１は本発明である番組リスト制御装置１０の原理図である。ＷＷＷサーバ２０と番組リスト制御装置１０は、インターネット経由あるいはアクセスポイント経由でネットワーク網３０を通じて接続する。また、番組リスト制御装置１０はパソコンに対応する。
【０００９】
ＷＷＷサーバ２０は翌月の番組リストから数種類のカテゴリに分類した番組リストをインターネットホームページにより提供する。この番組リストは各カテゴリ毎に番組名、放送形式、放送時間等の情報で構成される。
【００１０】
ダウンロード手段１１はＷＷＷサーバ２０から送られた番組リストを蓄積部１２にダウンロードする。編集手段１３は蓄積部１２で蓄積した番組リストを取り出して不要番組を削除するなどの編集を行い、編集番組リストを生成する。また、編集番組リストをライブラリファイルとして蓄積する。
【００１１】
検索手段１４は編集番組リストの中からユーザが指示した番組リストを検索する。印刷制御手段１５は、編集番組リストをプリンタ４０へ印刷するための印刷制御を行う。
【００１２】
録画予約制御手段１６は、編集番組リストにもとづいてビデオデッキ５０へ番組録画予約を行う。また、番組リスト制御装置１０とビデオデッキ５０とは、ＲＳ２３２Ｃインタフェースや赤外線データ通信システムであるＩｒＤＡ（Infrared Data Association)インタフェースで接続する。
【００１３】
なお、番組リスト制御装置１０の通信ソフトウェアは、Ｎｅｔｓｃａｐｅやインターネット・エクスプローラのヘルパー・アプリケーション、またはプラグインなどである。
【００１４】
次に動作について説明する。図２は本発明である番組リスト制御装置１０の動作手順を示すフローチャートである。
〔Ｓ１〕ダウンロード手段１１は、ＷＷＷサーバ２０から送られた番組リストの中からユーザの好みの番組リストを蓄積部１２にダウンロードする。
〔Ｓ２〕編集手段１３は、蓄積部１２から番組リストを取り出して編集し、編集番組リストを生成する。
〔Ｓ３〕検索手段１４は、ユーザからの検索キー入力により編集番組リストの中からユーザが指示した番組リストを検索する。
〔Ｓ４〕印刷制御手段１５は、指示された編集番組リストをプリンタ４０へ印刷するための印刷制御を行う。この場合の印刷は、編集番組リストからインデックスシールを作成するための印刷制御である。
〔Ｓ５〕録画予約制御手段１６は、編集番組リストにもとづき、ユーザが指示した番組をビデオデッキ５０へ自動的に番組録画予約を行う。
【００１５】
次に録画予約制御手段１６について説明する。図３は録画予約制御手段１６の内部構成を示す図である。録画予約手段１６ａは、編集番組リストにもとづきユーザが指示した番組をビデオデッキ５０へ自動的に番組録画予約を行う。残量検知手段１６ｂは、ビデオデッキ５０内にビデオテープが入っている場合は、ビデオテープ内の録画されていない残量を検知する。残量情報通知手段１６ｃは、ビデオテープの残量情報を表示画面１０ａを通じてユーザに通知する。警告通知手段１６ｄは予約番組がビデオテープの残りに録画されないと判断した場合は、表示画面１０ａを通じてユーザに警告通知を行う。
【００１６】
次に番組リスト制御装置１０の表示画面について説明する。図４は表示画面１０ａの一例を示す図である。編集番組リストは日付、チャンネル、放送時間、番組名からなる。なお、地上波放送であるとか衛星放送であるといった放送形式を表示してもよい。ポップアップメニュー１０ｂには、ビデオ予約、印刷、削除といった項目が表示される。
【００１７】
“ビデオ予約”をポインタ１０ｃで指示してクリックすると、カーソル１０ｄの位置にある番組が自動的にビデオデッキ５０へ録画予約される。
“印刷”をポインタ１０ｃで指示してクリックすると、カーソル１０ｄの位置にある番組のインデックスシールを作成するための印刷制御が行われる。
【００１８】
“削除”をポインタ１０ｃで指示してクリックするとカーソル１０ｄの位置にある番組が編集番組リストから削除される。
以上説明したように、本発明の番組リスト制御装置１０は、編集手段１３でＷＷＷサーバ２０から送られてきた番組リストを編集し、検索手段１４でユーザが指示した番組リストを検索する構成とした。これにより、ユーザが見たい番組を編集し、かつ即時に検索することが可能になる。
【００１９】
また、録画予約制御手段１６で番組をビデオデッキ５０に録画予約する構成とした。これにより、簡単な操作で録画予約することが可能になる。
なお、上記の説明ではＷＷＷサーバ２０から番組リストが提供されるとしたが、その他の番組リスト提供者に対しても同じように本発明は適用される。
【００２０】
【発明の効果】
以上説明したように本発明の番組リスト制御装置は、編集手段でサーバから送られてきた番組リストを編集し、検索手段でユーザが指示した番組リストを検索する構成とした。これにより、ユーザが見たい番組を編集し、かつ即時に検索することが可能になる。
【００２１】
また、録画予約制御手段で番組をビデオデッキに録画予約する構成とした。これにより、簡単な操作で録画予約することが可能になる。
【図面の簡単な説明】
【図１】本発明である番組リスト制御装置の原理図である。
【図２】本発明である番組リスト制御装置の動作手順を示すフローチャートである。
【図３】録画予約制御手段の内部構成を示す図である。
【図４】表示画面の一例を示す図である。
【符号の説明】
１０……番組リスト制御装置、１１……ダウンロード手段、１２……蓄積部、１３……編集手段、１４……検索手段、１５……印刷制御手段、１６……録画予約制御手段、２０……ＷＷＷサーバ、３０……ネットワーク網、４０……プリンタ、５０……ビデオデッキ。
【図１】
0003861939.tif 000002
【図２】
0003861939.tif 000003
【図３】
0003861939.tif 000004
【図４】
0003861939.tif 000005